(57)【特許請求の範囲】
【請求項１】
魚釣りに用いる中通し竿の穂先側に連結されるトップガイドであって、
穂先竿の穂先側先端に脱着自在に連結され周面に孔が形成された筒状体と、
前記筒状体の内部に、前記筒状体の軸方向に挿通された釣糸が接触するように配置され、前記釣糸に付着した水を切り落とすためのコイルバネとを備え、
前記筒状体は、前記釣糸から切り落とされた水を、前記孔から外部に排水するものである
ことを特徴とするトップガイド。
【請求項２】
前記筒状体内部の前記コイルバネの竿元側に配置された第１硬質リング部材と、
前記筒状体の穂先側端部にはめ込まれた第２硬質リング部材とをさらに備える、請求項１に記載のトップガイド。
【請求項３】
前記筒状体は、周面に、周方向に離れて複数の孔が形成されている、請求項１または２に記載のトップガイド。
【発明の詳細な説明】
【０００１】
【発明の属する技術分野】
本発明は、内部に釣糸が挿通可能な釣糸通路を有する中通し竿の穂先側端部に装着されるトップガイドに関する。
【０００２】
【従来の技術】
従来の例えば中通し竿は、内部に釣糸が挿通可能な釣糸通路を有する元竿と、元竿の穂先側に連結され元竿同様に内部に釣糸通路を有する中竿と、中竿の穂先側に連結され釣糸通路を有する穂先竿とを有している。元竿には、リールを取り付け可能なリールシートが形成され、リールシートの穂先側にはリールからの釣糸を竿体内部の釣糸通路に導入するための釣糸導入孔が形成されている。また、穂先竿の穂先側端部にはトップガイドが設けられている。
【０００３】
このトップガイドは、例えば、穂先竿の穂先側端部外周面に接着剤等で取り付けられた雄ねじ部材に脱着自在に螺合した筒状の本体部と、本体部の穂先側端部内にはめ込まれたセラミックリングを有している。そして、リールからの釣糸は釣糸導入口から竿体内部へ導かれて穂先側のトップガイドへ至り、トップガイドの本体部内を挿通してセラミックリングに支持されながら外部へ導出される。
【０００４】
【発明が解決しようとする課題】
このような中通し竿では、釣りをおこなう際に釣糸に付着した水が、釣糸の巻き上げと共に中通し竿内に侵入し、竿体内部に溜まってしまう場合がある。このような竿体内へ水の侵入は、釣りを行っている最中において釣竿の重量化を招くと共に、竿体内に溜まった水は釣糸の抵抗を増大させる。さらに、釣竿を痛める一因ともなる。
【０００５】
本発明の課題は、釣糸に付着する水を適切に排水して竿体内部への侵入を防止できるトップガイドを提供することにある。
【０００６】
【課題を解決するための手段】
発明１にかかるトップガイドは、魚釣りに用いる中通し竿の穂先側に連結されるトップガイドであって、穂先竿の穂先側先端に脱着自在に連結され周面に孔が形成された筒状体と、筒状体の内部に、筒状体の軸方向に挿通された釣糸が接触するように配置され、釣糸に付着した水を切り落とすためのコイルバネとを備え、筒状体は、釣糸から切り落とされた水を、孔から外部に排水するものであることを特徴とする。
【０００７】
このトップガイドは中通し竿の穂先側端部に装着される。そして、釣糸は穂先から筒状体へと導かれ、筒状体内部のコイルバネを軸方向に挿通して外部に導出される。魚釣りをおこなう際に水が付着した釣糸が巻き上げられると、この釣糸はトップガイドの筒状体内のコイルバネに接触し、この際コイルバネが水を切り落とす。釣糸から切り落とされた水は筒状体内に落ち、周面の孔から外部に排水される。こうして、釣糸に付着した水が竿体内へ侵入するのを防止できる。
【０００８】
発明２にかかるトップガイドは、発明１のガイドであって、筒状体内部のコイルバネの竿元側に配置された第１硬質リング部材と、筒状体の穂先側端部にはめ込まれた第２硬質リング部材とをさらに備える。
【０００９】
この場合には、硬質リング部材が筒状体内を挿通する釣糸を支持し、筒状体内面を保護すると共に釣糸の導出抵抗を低減する。さらに、硬質リング部材が釣糸に付着する水を切り落とすことも期待できる。
【００１０】
発明３にかかるトップガイドは、発明１または２のガイドであって、筒状体は、周面に、周方向に離れて複数の孔が形成されている。この場合には、複数の孔が筒状体内で釣糸から切り落とされた水を排水するので、トップガイドの周方向における方向性に関わらず円滑に水が排水される。
【００１１】
【発明の実施の形態】
以下、本発明の一実施形態について図面を参照しつつ説明する。
本発明の一実施形態を採用した中通し竿は、図１に示すように、内部に釣糸が挿通可能な釣糸通路を有する元竿１と、元竿１の穂先側に順次振出形式で連結される元上竿２，中竿３、穂先竿４とを有している。元竿１にはリール（図示せず）を脱着自在に装着可能なリールシート５が設けられており、このリールシート５の穂先側周面上にはリールからの釣糸を釣糸通路内に導入するための釣糸導入孔６が形成されている。また、釣糸導入孔６上には釣糸を釣糸導入孔６へ導く釣糸導入ガイド７が配置される。
【００１２】
さらに、穂先竿４の穂先側端部にはトップガイド８が取り付けられている。そして、リールからの釣糸は釣糸導入ガイド７，釣糸導入孔６から元竿１内部の釣糸通路に導入され、順次穂先側へ導かれてトップガイド８から外部に導出される。
【００１３】
各竿体１〜４は、それぞれ炭素繊維やガラス繊維などの強化繊維に樹脂を含浸させたプリプレグをマンドレルに巻回し焼成して得られた先細り筒状部材である。穂先側に配置される竿体ほど小径で順次竿元側に配置される竿体内に挿入可能である。また、それぞれの竿体の外周面上には撥水性，耐候性の塗材が塗布されており、商品イメージに応じて様々な模様が施されている。さらに、各竿体の内部の釣糸通路には螺旋状に竿体と一体的に形成される釣糸支持突起（図示せず）を形成してもよい。
【００１４】
図２〜図４に示すように、穂先竿４の穂先側端部に連結されるトップガイド８は、穂先竿４の穂先側端部に連結された略筒状の連結部材１０と、連結部材１０の穂先側に脱着自在に連結される筒状体１１と、筒状体１１の内部に配置されたコイルバネ１２とを有している。
【００１５】
連結部材１０は、合成樹脂製の筒状部材であり穂先側端部外周面にねじ山が形成され雄ねじ部となっている。竿元側端部には穂先竿４の穂先側端部が挿入され接着剤によって固定されている。
【００１６】
筒状体１１も、合成樹脂製の筒状体であり１５〜３０mm程度の軸方向長さを有する部材である。竿元側端部内周面に雌ねじ部が形成されており、この雌ねじ部が連結部材１０の雄ねじ部に螺合している。側面の軸方向中央付近には周方向に間隔を隔てて３つの孔１１ａが形成されている（図４参照）。この孔１１ａは軸方向に伸びる略楕円形状である。
【００１７】
この筒状体１１の内部にはコイルバネ１２と、コイルバネ１２の竿元側端部に配置される第１硬質リング１３と、筒状体１１の穂先側端部にはめ込まれた第２硬質リング１４とが配置されている。
【００１８】
第１硬質リング１３は、硬質セラミックからなるリング状部材であり、筒状体１１の竿元側端部において接着剤等で固定されている。コイルバネ１２はほぼ筒状体１１内径に合致する径を有し、その軸方向長さは孔１１ａの軸方向長さより長く設定されている。そして、第１硬質リング１３の穂先側に配置されている。また、第２硬質リング１４も第１硬質リング１３と同様の硬質セラミックからなる略リング状部材である。なお、コイルバネ１２の内径は第１硬質リング１３と第２硬質リング１４の内径とほぼ一致乃至やや小径となるように設定するのが好ましい。このコイルバネ１２は筒状体１１内に直接接着剤等で固定してもよく、第１硬質リング１３及び第２硬質リング１４で挟み込むようにして固定してもよい。
【００１９】
このように構成された中通し竿では、図２に示すように、釣糸Ｌは穂先竿４の内部の釣糸通路から連結部材１０，筒状体１１へと導かれ、筒状体１１内部のコイルバネ１２を軸方向に挿通して外部に導出される。魚釣りをおこなう際に、水が付着した釣糸Ｌが巻き上げられると、この釣糸Ｌはトップガイド８の筒状体１１内のコイルバネ１２に接触し、この際、コイルバネ１２が水を切り落とす。釣糸Ｌから切り落とされた水は筒状体１１内に落ち、周面の孔１１ａから外部に排水される。特に、複数の孔１１ａが筒状体１１内で釣糸Ｌから切り落とされた水を排水するので、トップガイドの周方向における方向性に関わらず円滑に水が排水される。
【００２０】
さらに、第１硬質リング１３及び第２硬質リング１４が筒状体１１内を挿通する釣糸Ｌを支持し、筒状体１１内面を保護すると共に釣糸Ｌの導出抵抗を低減する。
【００２１】
［他の実施形態］
（ａ）硬質リングは任意数配置すれば足りる。また、セラミックではなく金属部材を用いてもよい。
（ｂ）孔の形状及び数は上記実施形態に限定されるものではない。周方向に２ヶ所設けるような場合も考えられる。また、例えば、図５に示すように、周方向に離れて軸方向に連続した複数の円形の孔を形成してもよい。
（ｃ）上記実施形態においてはコイルバネ１２に加えて硬質リングも配置しているが、硬質リングを設けることなく、コイルバネ１２のみで釣糸Ｌを支持するようにしてもよい。
【００２２】
【発明の効果】
本発明にかかるトップガイドによれば、釣糸に付着している水を切り取り排水され、竿体内部に水が侵入するのを防止できる。
【図面の簡単な説明】
【図１】本発明の一実施形態を採用した釣竿の全体図。
【図２】図１のトップガイドの拡大断面図。
【図３】図１のトップガイド付近の参照図。
【図４】図３のIV―IV断面図。
【図５】他の実施形態を採用したトップガイドを示した図。
【符号の説明】
１ 元竿
４ 穂先竿
８ トップガイド
１０ 連結部材
１１ 筒状体
１２ コイルバネ
【図１】
0004514348.tif 000002
【図２】
0004514348.tif 000003
【図３】
0004514348.tif 000004
【図４】
0004514348.tif 000005
【図５】
0004514348.tif 000006